Podtech/llm-jp-corpus-v4-ja_patent huggingface dataset:
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
サンプル材料にバーコードを付ける方法であって、
会合している複数の核酸バーコード分子を含むビーズを提供する工程であって、前記複数の核酸バーコード分子が同一の核酸バーコード配列を含む工程と、
前記ビーズをサンプル材料の成分とともに区画に共区画化する工程と、
前記バーコード分子を前記ビーズから前記区画中に放出する工程と、
前記区画内で前記バーコード分子を1種以上の前記サンプル材料の成分又はその断片に付着させる工程と
を含む、方法。
【請求項２】
前記ビーズが、会合している少なくとも1,000個のバーコード分子を含み、該少なくとも1,000個のバーコード分子が同一のバーコード配列を有する、請求項1に記載の方法。
【請求項３】
前記ビーズが、会合している少なくとも10,000個のバーコード分子を含み、該少なくとも10,000個のバーコード分子が同一のバーコード配列を有する、請求項1に記載の方法。
【請求項４】
前記ビーズが、会合している少なくとも100,000個のバーコード分子を含み、該少なくとも100,000個のバーコード分子が同一のバーコード配列を有する、請求項1に記載の方法。
【請求項５】
前記ビーズが、会合している少なくとも1,000,000個のバーコード分子を含み、該少なくとも1,000,000個のバーコード分子が同一のバーコード配列を有する、請求項1に記載の方法。
【請求項６】
前記区画がマイクロカプセル又は液滴である、請求項1に記載の方法。
【請求項７】
前記ビーズがゲルビーズであり、前記バーコード分子が該ゲルビーズと放出可能に結合している、請求項1に記載の方法。
【請求項８】
前記共区画化する工程が、非混和性流体内で、ビーズを含む第1の水性流体と前記サンプル成分を含む第2の水性流体とを組み合わせて1つの液滴にする工程を含む、請求項7に記載の方法。
【請求項９】
前記放出する工程が前記ビーズを分解する工程を含む、請求項1に記載の方法。
【請求項１０】
前記放出する工程が前記ビーズを分解して前記バーコード分子を前記区画中に放出する工程を含む、請求項7に記載の方法。
【請求項１１】
前記放出する工程が前記バーコード分子と前記ゲルビーズとの間の化学結合を切断する工程を含む、請求項7に記載の方法。
【請求項１２】
前記ゲルビーズの架橋結合及び前記ゲルビーズと前記バーコード分子との間の結合のうち少なくとも一方がジスルフィド結合を含み、前記放出する工程が前記ゲルビーズを還元剤に曝露する工程を含む、請求項7に記載の方法。
【請求項１３】
前記サンプル材料が1種以上の鋳型核酸分子を含み、前記付着させる工程が前記バーコード分子を該鋳型核酸分子の1種以上の断片に付着させる工程を含む、請求項1に記載の方法。
【請求項１４】
前記サンプル材料が1種以上の鋳型核酸分子を含み、前記バーコード分子が該鋳型核酸分子の少なくとも一部と相補的であるプライマー配列を更に含み、前記付着させる工程が前記バーコード分子を伸長させて該鋳型核酸分子の少なくとも一部を複製する工程を含む、請求項1に記載の方法。
【請求項１５】
前記サンプル材料が単細胞の内容物を含む、請求項1に記載の方法。
【請求項１６】
前記単細胞が癌細胞又は細菌細胞を含む、請求項15に記載の方法。
【請求項１７】
前記区画が1つ以下のビーズを含む、請求項1に記載の方法。
【請求項１８】
前記提供する工程が、複数の異なる核酸バーコード配列を含む複数のビーズを提供する工程を含み、該複数のビーズの各々が、会合している同一の核酸バーコード配列を有する複数の少なくとも1000個の核酸バーコード分子を含み、
前記共区画化する工程が、前記複数のビーズを前記サンプル材料の成分とともに複数の区画に共区画化する工程を含み、
前記放出する工程が、前記核酸バーコード分子を前記複数のビーズから前記複数の区画中に放出する工程を含み、
前記付着させる工程が、前記複数の区画内で前記核酸バーコード分子を前記サンプル材料の成分又はその断片に付着させる工程を含む、請求項1に記載の方法。
【請求項１９】
前記複数の異なる核酸バーコード配列が少なくとも約1000種の異なるバーコード配列を含む、請求項18に記載の方法。
【請求項２０】
前記複数の異なる核酸バーコード配列が少なくとも約10,000種の異なるバーコード配列を含む、請求項18に記載の方法。
【請求項２１】
前記複数の異なる核酸バーコード配列が少なくとも約100,000種の異なるバーコード配列を含む、請求項18に記載の方法。
【請求項２２】
前記複数の区画のサブセットが同一の核酸バーコード配列を含む、請求項18に記載の方法。
【請求項２３】
前記複数の区画の少なくとも約1%が同一の核酸バーコード配列を含む、請求項22に記載の方法。
【請求項２４】
前記複数の区画の少なくとも約2%が同一の核酸バーコード配列を含む、請求項22に記載の方法。
【請求項２５】
前記サンプル材料の成分の断片が1種以上の鋳型核酸配列の1種以上の断片を含み、該1種以上の鋳型核酸配列の1種以上の断片を配列決定する工程、及び付着している核酸バーコード配列に少なくとも部分的には基づいて該鋳型核酸配列の1種以上の断片をキャラクタライズする工程を更に含む、請求項22に記載の方法。
【請求項２６】
前記1種以上の鋳型核酸配列の1種以上の断片をキャラクタライズする工程が、前記1種以上の鋳型核酸配列の個々の鋳型核酸配列の断片を、前記1種以上の鋳型核酸配列の個々の鋳型核酸配列又は該個々の鋳型核酸配列が由来するゲノムにマッピングする工程を含む、請求項25に記載の方法。
【請求項２７】
前記鋳型核酸配列の1種以上の断片をキャラクタライズする工程が、前記複数の異なる核酸バーコード配列の個々の核酸バーコード配列を同定する工程、及び該個々の核酸バーコード配列に付着している1種以上の前記鋳型核酸配列の1種以上の断片の個々の断片の配列を同定する工程を少なくとも含む、請求項25に記載の方法。
【請求項２８】
前記複数の区画の少なくとも70%が1つ以下のビーズを含有する、請求項18に記載の方法。
【請求項２９】
前記複数の区画の少なくとも90%が1つ以下のビーズを含有する、請求項18に記載の方法。
【請求項３０】
前記複数の区画の少なくとも50%が正確に1つのビーズを含む、請求項18に記載の方法。
【請求項３１】
前記複数の区画の少なくとも70%が正確に1つのビーズを含む、請求項18に記載の方法。
【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、前記方法が、
第１のデバイスによって、ワイヤレスワイドエリアネットワーク（ＷＷＡＮ）を介して構成された第１のベアラを介してデータを通信することと、
前記第１のデバイスにおいて、前記第１のベアラを介して前記データをサービスするための１つまたは複数のサービス品質（ＱｏＳ）パラメータの第１のセットを識別することと、
前記第１のデバイスにおいて、ワイヤレスローカルエリアネットワーク（ＷＬＡＮ）を介して構成された第２のベアラを介して前記データの少なくとも一部をサービスするための１つまたは複数のＱｏＳパラメータの第２のセットを、１つまたは複数のＱｏＳパラメータの前記第１のセットと１つまたは複数のＱｏＳパラメータの前記第２のセットとの間の関連付けに基づいて決定することと
前記第１のデバイスによって、１つまたは複数のＱｏＳパラメータの前記決定された第２のセットを使用して、前記ＷＬＡＮを介して構成された前記第２のベアラを介して前記データの少なくとも前記一部を通信することと
を備えることを特徴とする、方法。
【請求項２】
１つまたは複数のＱｏＳパラメータの前記第２のセットを決定することは、
１つまたは複数のＱｏＳパラメータの前記第１のセットを１つまたは複数のＱｏＳパラメータの前記第２のセットにマッピングすることを備える、請求項１に記載の方法。
【請求項３】
前記マッピングは、１つまたは複数のＱｏＳパラメータの前記第１のセットと１つまたは複数のＱｏＳパラメータの前記第２のセットとの間の前記関連付けに従って構成された静的マッピングを備え、
前記マッピングは半静的マッピングを備え、
前記マッピングは、前記ＷＷＡＮのオペレーション、アドミニストレーション、およびメンテナンス（ＯＡＭ）構成に少なくとも部分的に基づき、
前記マッピングは、オープンモバイルアライアンスデバイス管理（ＯＭＡ  ＤＭ）メッセージ中で、１つまたは複数のＱｏＳパラメータの前記第２のセットをサーバから受信することを備える、または、
前記マッピングは、１つまたは複数のＱｏＳパラメータの前記第２のセットをユニバーサル加入者識別モジュール（ＵＳＩＭ）から取り出すことを備える、請求項２に記載の方法。
【請求項４】
１つまたは複数のＱｏＳパラメータの前記第１のセットと１つまたは複数のＱｏＳパラメータの前記第２のセットとの間の前記マッピングを調節することをさらに備える、請求項２に記載の方法。
【請求項５】
前記第２のベアラの確立に関連して、１つまたは複数のＱｏＳパラメータの前記第２のセットを、前記第１のデバイスから第２のデバイスに送信することをさらに備える、請求項１に記載の方法。
【請求項６】
前記第１のベアラは、モバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの非アクセス層（ＮＡＳ）レイヤを介して送信され、
前記第１のベアラはモバイルデバイス用の発展型パケットシステム（ＥＰＳ）ベアラを備え、前記第２のデバイスは前記モバイルデバイスを備え、１つまたは複数のＱｏＳパラメータの前記第２のセットは、前記ＷＷＡＮの無線リソース制御（ＲＲＣ）レイヤを介して送信される、または、
前記第１のベアラはＥＰＳベアラを備え、前記第１のデバイスはモビリティ管理エンティティを備え、前記第２のデバイスはｅノードＢを備え、１つまたは複数のＱｏＳパラメータの前記第２のセットは、前記ＷＷＡＮのＳ１インターフェースを介して送信される、請求項５に記載の方法。
【請求項７】
前記第１のベアラは発展型パケットシステム（ＥＰＳ）ベアラを備え、１つまたは複数のＱｏＳパラメータの前記第２のセットはコアネットワークインターフェースを介して送信される、請求項５に記載の方法。
【請求項８】
前記第１のベアラは無線ベアラを備え、前記第１のデバイスはサービング汎用パケット無線サービスサポートノードを備え、前記第２のデバイスは無線ネットワークコントローラを備え、１つまたは複数のＱｏＳパラメータの前記第２のセットは、前記ＷＷＡＮのＩｕインターフェースを介して送信される、請求項５に記載の方法。
【請求項９】
前記第１のベアラの確立に関連して、前記第１のデバイスにおいて１つまたは複数のＱｏＳパラメータの前記第１のセットを受信することをさらに備える、請求項１に記載の方法。
【請求項１０】
前記第１のベアラは発展型パケットシステム（ＥＰＳ）ベアラを備え、前記第１のデバイスはユーザ機器（ＵＥ）を備え、１つまたは複数のＱｏＳパラメータの前記第１のセットは、非アクセス層（ＮＡＳ）レイヤを介して受信されるＱｏＳクラス識別子（ＱＣＩ）を備える、請求項９に記載の方法。
【請求項１１】
前記第１のベアラは無線ベアラを備え、前記第１のデバイスはユーザ機器（ＵＥ）を備え、１つまたは複数のＱｏＳパラメータの前記第１のセットは、無線リソース制御（ＲＲＣ）レイヤを介して受信される論理チャネル優先度を備える、請求項９に記載の方法。
【請求項１２】
前記第１のデバイスはユーザ機器（ＵＥ）を備え、前記方法は、
パケットデータネットワーク接続性要求メッセージ、アタッチ要求メッセージ、ベアラリソース割振りメッセージ、またはベアラコンテキスト修正要求メッセージのうちの１つまたは複数に関連して、１つまたは複数のＱｏＳパラメータの前記第２のセットを前記ＷＷＡＮに送信することをさらに備える、請求項１に記載の方法。
【請求項１３】
１つまたは複数のＱｏＳパラメータの前記第１のセットは、ＱｏＳクラス識別子（ＱＣＩ）、アクセスクラス優先度、論理チャネル優先度、トラフィッククラス、またはトラフィック処理優先度のうちの１つまたは複数を備える、または、
１つまたは複数のＱｏＳパラメータの前記第２のセットは、アクセスカテゴリ（ＡＣ）、最大バッファサイズ、ビットレート、またはレイテンシのうちの１つまたは複数を備える、請求項１に記載の方法。
【請求項１４】
請求項１から請求項１３のうちのいずれか一項に記載の方法を実施するための手段を備える、ワイヤレス通信のための装置。
【請求項１５】
少なくとも１つのプロセッサに、請求項１から請求項１３の方法を実施させるように構成されたコンピュータ可読コードを備える非一時的コンピュータ可読媒体を備えるコンピュータプログラム製品。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
（ａ）２本のストランドを有する標的核酸を準備するステップと、
（ｂ）加ピロリン酸分解によって前記２本のストランドのうち第１のストランドからヌクレオチドを順次除去する条件下で、前記標的核酸をポリメラーゼと接触させ、それによって、多様な相異なる塩基部分を有するヌクレオチド三リン酸を順次生成させるステップと、
（ｃ）前記順次生成したヌクレオチド三リン酸について、前記相異なる塩基部分を識別し、それによって、前記標的核酸の配列を決定するステップと
を含み、
前記順次生成したヌクレオチド三リン酸について、前記相異なる塩基部分を識別する前記ステップが、前記ヌクレオチド三リン酸をナノポアに通過させるステップを含む、標的核酸の配列を決定する方法。
【請求項２】
前記ポリメラーゼが、前記ナノポアに連結されている、請求項１に記載の方法。
【請求項３】
加ピロリン酸分解によって、前記２本のストランドのうち一方からヌクレオチドを順次除去するための前記条件が、前記ポリメラーゼを加ピロリン酸分解濃度のピロリン酸塩と接触させるステップを含む、請求項１に記載の方法。
【請求項４】
ピロリン酸塩を前記ポリメラーゼとの接触から除去することにより、前記ヌクレオチド三リン酸の順次生成を休止させて、次いで前記ポリメラーゼをピロリン酸塩と接触させることによって、ヌクレオチド三リン酸の順次生成を再開するステップをさらに含む、請求項３に記載の方法。
【請求項５】
前記多様な相異なる塩基部分が、少なくとも２つの相異なる種の塩基部分および最大で４つの異なる種の塩基部分を含む、請求項１に記載の方法。
【請求項６】
決定される配列が、４ヌクレオチドより長い、請求項５に記載の方法。
【請求項７】
前記塩基部分が、天然のアデニン、グアニン、シトシン、またはチミンを含む、請求項１に記載の方法。
【請求項８】
前記塩基部分の少なくとも１つが、ＤＮＡまたはＲＮＡでは非天然である部分を含む、請求項１に記載の方法。
【請求項９】
（ａ）第１の流体リザーバーを第２の流体リザーバーから隔てる流体不透過性障壁と、
（ｂ）通路を形成するために前記流体不透過性障壁内に配置されるナノポアであって、これを通じてヌクレオチド三リン酸が、前記第１の流体リザーバーから前記第２の流体リザーバーに通過可能であるナノポアと、
（ｃ）前記第１の流体リザーバー内の反応混合物であって、ポリメラーゼ、２本のストランドを有する標的核酸、および加ピロリン酸分解濃度のピロリン酸塩を含む反応混合物と
を備える装置。
【請求項１０】
前記ポリメラーゼが、前記ナノポアに連結されている、請求項９に記載の装置。
【請求項１１】
前記流体不透過性障壁が、メンブレンを含み、
前記標的核酸のストランドが、前記メンブレンに連結されている、請求項９に記載の装置。
【請求項１２】
前記標的核酸が、ＤＮＡまたはＲＮＡでは非天然である少なくとも１つの塩基部分を含む、請求項１１に記載の装置。
【請求項１３】
前記ナノポアが、ソリッドステートナノポアを含む、請求項９に記載の装置。
【請求項１４】
前記ポリメラーゼが、３’→５’エキソヌクレアーゼ活性を欠く、請求項９に記載の装置。
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
水蒸気分解ユニット内で炭化水素原料を分解する方法であって、
液体炭化水素原料を水素化分解ユニットに供給する工程、
前記水素化分解ユニット内でそのように水素化分解された流れを、芳香族含有量が多い流れと、Ｃ２〜Ｃ４パラフィン、水素およびメタンを含む気体流とに分離する工程、
前記気体流からＣ２〜Ｃ４パラフィンを分離する工程、および
そのように分離された前記Ｃ２〜Ｃ４パラフィンを水蒸気分解ユニットの炉区域に供給する工程、
を有してなり、
前記水素化分解ユニットにおける工程条件が、３００〜４５０℃の温度、３００〜５０００ｋＰａのゲージ圧および０．１〜１０ｈ-1の重量空間速度である方法。
【請求項２】
前記芳香族含有量が多い流れを、重質芳香族化合物の流れと、単環芳香族炭化水素が多い流れに分離する工程をさらに含む、請求項１記載の方法。
【請求項３】
前記単環芳香族化合物が多い流れからＣ７からＣ９芳香族化合物の豊富な分画を分離する工程、該Ｃ７からＣ９芳香族化合物の豊富な分画をベンゼンの豊富な分画に転化させる工程をさらに含む、請求項２記載の方法。
【請求項４】
前記気体流から前記Ｃ２〜Ｃ４パラフィンを分離する工程が、低温蒸留または溶媒抽出により行われる、請求項１から３いずれか１項記載の方法。
【請求項５】
前記Ｃ２〜Ｃ４パラフィンを、各々が主にＣ２パラフィン、Ｃ３パラフィンまたはＣ４パラフィンをそれぞれ含む個々の流れに分離する工程、および該個々の流れを前記水蒸気分解ユニットの特定の炉区域に送る工程をさらに含む、請求項１から４いずれか１項記載の方法。
【請求項６】
前記Ｃ２〜Ｃ４パラフィンを、各々が主にＣ２パラフィン、Ｃ３パラフィンまたはＣ４パラフィンをそれぞれ含む個々の流れに分離する工程、および主にＣ２パラフィンを含む流れを水蒸気分解装置に供給する一方で、主にＣ３パラフィンを含む流れをプロパン脱水素化ユニットに供給し、主にＣ４パラフィンを含む流れをブタン脱水素化ユニットに供給する工程をさらに含む、請求項１から５いずれか１項記載の方法。
【請求項７】
前記気体流から、主に水素とメタンを含む流れを回収する工程、および該流れを前記水素化分解ユニットに再循環させる工程をさらに含む、請求項１から６いずれか１項記載の方法。
【請求項８】
前記水素化分解ユニットにおける工程条件が、３５０〜４５０℃の温度、６００〜３０００ｋＰａのゲージ圧および０．２〜２ｈ-1の重量空間速度である、請求項１から７いずれか１項記載の方法。
【請求項９】
前記水素化分解ユニットの反応装置タイプの設計が、固定床型、沸騰床反応装置型およびスラリー型の群から選択される、請求項１から８いずれか１項記載の方法。
【請求項１０】
前記水素化分解ユニットへの前記炭化水素原料が、ナフサ、灯油、ディーゼル燃料、常圧軽油（ＡＧＯ）、蝋、コンデンセート、またはそれらの組合せのタイプのものである、請求項１から９いずれか１項記載の方法。
【請求項１１】
前記芳香族含有量が多い流れの分離が蒸留タイプのものである、請求項１から１０いずれか１項記載の方法。
【請求項１２】
前記水蒸気分解ユニットの生成物流から水素を回収する工程、および該水素を前記水素化分解ユニットに供給する工程をさらに含む、請求項１から１１いずれか１項記載の方法。
【請求項１３】
前記水蒸気分解ユニットの生成物流からＣ５＋炭化水素を回収する工程、および該Ｃ５＋炭化水素を前記水素化分解ユニットに供給する工程をさらに含む、請求項１から１２いずれか１項記載の方法。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
水蒸気分解ユニット内で炭化水素原料を分解する方法において、
炭化水素原料を第１の水素化分解ユニットに供給する工程、
パラフィンおよびナフテンが多い流れ、重質芳香族化合物が多い流れ、および単環芳香族化合物が多い流れを得るために、そのように分解された前記炭化水素原料を分離ユニットに供給する工程、
前記パラフィンおよびナフテンが多い流れを、その工程条件が前記第１の水素化分解ユニットの工程条件と異なる第２の水素化分解ユニットに供給する工程、
前記第２の水素化分解ユニット内でそのように水素化分解された流れを、芳香族含有量が多い流れと、Ｃ２〜Ｃ４パラフィン、水素およびメタンを含む気体流とに分離する工程、および
前記気体流を水蒸気分解ユニットに供給する工程、
を有してなる方法。
【請求項２】
前記重質芳香族化合物が多い流れを前記第１の水素化分解ユニットに戻す工程をさらに含む、請求項１記載の方法。
【請求項３】
前記気体流からＣ２〜Ｃ４パラフィンを分離する工程、および
そのように分離された前記Ｃ２〜Ｃ４パラフィンを水蒸気分解ユニットの炉区域に供給する工程、
をさらに含む、請求項１記載の方法。
【請求項４】
前記Ｃ２〜Ｃ４パラフィンからＣ３〜Ｃ４パラフィンを分離する工程、および該Ｃ３〜Ｃ４パラフィン分画を、水素、Ｃ３オレフィンおよびＣ４オレフィンを得るために、脱水素化ユニットに供給する工程をさらに含む、請求項１から３いずれか１項記載の方法。
【請求項５】
前記気体流からＣ２〜Ｃ４パラフィンを分離する工程が低温蒸留または溶媒抽出により行われる、請求項１から４いずれか１項記載の方法。
【請求項６】
前記Ｃ２〜Ｃ４パラフィンを、それぞれ、各々がＣ２パラフィン、Ｃ３パラフィンおよびＣ４パラフィンを主に含む個々の流れに分離する工程、および該個々の流れを前記水蒸気分解ユニットの特定の炉区域および／または水素化分解ユニットに供給する工程をさらに含む、請求項３から５いずれか１項記載の方法。
【請求項７】
前記気体流から、水素およびメタンを主に含む流れを回収する工程、および該流れを第１および／または第２の水素化分解ユニットに再循環させる工程をさらに含む、請求項１から６いずれか１項記載の方法。
【請求項８】
前記重質芳香族化合物が多い流れを前記第１の水素化分解ユニットに戻す前に、該重質芳香族化合物が多い流れから単環芳香族化合物を回収する工程をさらに含む、請求項１から７いずれか１項記載の方法。
【請求項９】
前記分離ユニットが蒸留ユニットおよび抽出ユニットを備え、該蒸留ユニットからの上部流が前記抽出ユニットの入口に送られる、請求項１から８いずれか１項記載の方法。
【請求項１０】
前記芳香族含有量が多い流れを、前記分離ユニットに戻す工程をさらに含む、請求項１から９いずれか１項記載の方法。
【請求項１１】
前記第１の水素化分解ユニット内の温度が、前記第２の水素化分解ユニット内の温度より低い、請求項１から１０いずれか１項記載の方法。
【請求項１２】
前記第１の水素化分解ユニット内の水素の分圧が、前記第２の水素化分解ユニット内の水素の分圧よりも高い、請求項１から１１いずれか１項記載の方法。
【請求項１３】
前記第１と第２の水素化分解ユニットの反応装置タイプの設計が、固定床型、沸騰床反応装置型およびスラリー型の群から選択される、請求項１から１２いずれか１項記載の方法。
【請求項１４】
前記第１の水素化分解ユニットへの前記炭化水素原料が、ナフサ、灯油、ディーゼル燃料、常圧軽油（ＡＧＯ）、蝋、真空軽油（ＶＧＯ）、常圧残油、減圧残油およびコンデンセート、またはそれらの組合せのタイプのものである、請求項１から１３いずれか１項記載の方法。
【請求項１５】
前記第１の水素化分解ユニットが、２００〜６００℃の温度、３〜３５ＭＰａの圧力で作動される、請求項１から１４いずれか１項記載の方法。
【請求項１６】
前記第２の水素化分解ユニットが、３００〜５５０℃の温度、３００〜５０００ｋＰａのゲージ圧、および０．１〜１０ｈ-1の重量空間速度で作動される、請求項１から１５いずれか１項記載の方法。
【請求項１７】
水蒸気分解ユニットおよび／または脱水素化ユニットの原料としてＬＰＧの含有量が多い流れを調製するための、連続して配置された、第１の水素化分解ユニット、分離ユニットおよび第２の水素化分解ユニットの使用であって、前記第１と第２の水素化分解ユニットにおける工程条件が互いに異なるものである使用。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
炭化水素原料から軽質オレフィンおよび芳香族化合物を製造する方法であって、
（ａ）炭化水素原料をＦＣＣユニットに供給する工程、
（ｂ）ＦＣＣ反応から生成された反応生成物を、底部流と、中間流と、上部流とに分離する工程、
（ｃ）（ｂ）からの前記中間流をガソリン水素化分解（ＧＨＣ）ユニットに供給する工程、
（ｄ）工程（ｃ）の前記ＧＨＣユニットの反応生成物を、水素、メタンおよびＣ２〜Ｃ４パラフィンを含む頭頂気体流と、芳香族炭化水素化合物を含む底部流とに分離する工程、および
（ｅ）前記ガソリン水素化分解（ＧＨＣ）ユニットからの頭頂気体流を水蒸気分解ユニットの炉区域に直接供給する工程、
を有してなる方法。
【請求項２】
前記炭化水素原料を蒸留ユニット内で前処理する工程をさらに含み、該蒸留ユニットからの底部流が前記ＦＣＣユニットに供給され、その頭頂流が前記水蒸気分解ユニットに供給される、請求項１記載の方法。
【請求項３】
前記ガソリン水素化分解（ＧＨＣ）ユニットから来る前記頭頂気体流から前記Ｃ２〜Ｃ４パラフィンを分離する工程、および
該頭頂気体流からそのように分離された前記Ｃ２〜Ｃ４パラフィンのみを水蒸気分解ユニットの炉区域に直接供給する工程、
をさらに含む、請求項１または２記載の方法。
【請求項４】
前記Ｃ２〜Ｃ４パラフィンを、それぞれ、各々が主にＣ２パラフィン、Ｃ３パラフィンおよびＣ４パラフィンを含む個々の流れに分離する工程、および該個々の流れを前記水蒸気分解ユニットの特定の炉区域に送る工程をさらに含む、請求項３記載の方法。
【請求項５】
前記水蒸気分解ユニットの反応生成物を、Ｃ２〜Ｃ６アルカンを含む頭頂流、Ｃ２＝、Ｃ３＝およびＣ４＝を含む中間流、並びにＣ９＋炭化水素を含む第１の底部流、および芳香族炭化水素化合物と非芳香族炭化水素化合物を含む第２の底部流に分離する工程をさらに含む、請求項１から４いずれか１項記載の方法。
【請求項６】
前記頭頂流を前記水蒸気分解ユニットに戻す工程をさらに含む、請求項５記載の方法。
【請求項７】
前記第２の底部流を前記ガソリン水素化分解（ＧＨＣ）ユニットに供給する工程をさらに含む、請求項５または６記載の方法。
【請求項８】
前記第１の底部流を該ＦＣＣユニットに供給する工程をさらに含む、請求項５から７いずれか１項記載の方法。
【請求項９】
前記水素供与体タイプの原料が、水素または軽質原料、もしくはそれらの組合せである、請求項８記載の方法。
【請求項１０】
前記ガソリン水素化分解（ＧＨＣ）ユニットからの頭頂気体流を脱水素化ユニットに供給する工程をさらに含む、請求項１から９いずれか１項記載の方法。
【請求項１１】
前記ＦＣＣユニットからの上部流を前記水蒸気分解ユニットから来る反応生成物の流れと組み合わせる工程をさらに含む、請求項１から１０いずれか１項記載の方法。
【請求項１２】
前記ＦＣＣユニット中への前記炭化水素原料が、ナフサ、灯油、ディーゼル燃料、常圧軽油（ＡＧＯ）、コンデンセート、蝋、粗製汚染ナフサ、真空軽油（ＶＧＯ）、減圧残油、常圧残油、前処理ナフサ、またはそれらの組合せの群から選択される、請求項１から１１いずれか１項記載の方法。
【請求項１３】
前記ＦＣＣユニットに一般的な工程条件が、４２５〜５７０℃の温度および１０〜８００ｋＰａのゲージ圧（低苛酷度）または５４０〜７００℃の温度および１０〜８００ｋＰａのゲージ圧（高苛酷度）を含む、請求項１から１２いずれか１項記載の方法。
【請求項１４】
前記ガソリン水素化分解（ＧＨＣ）ユニットにおいて一般的な工程条件が、３００〜４５０℃の温度、３００〜５０００ｋＰａのゲージ圧、および０．１〜１０ｈ-1の重量空間速度である、請求項１から１３いずれか１項記載の方法。
【請求項１５】
前記水蒸気分解ユニットに一般的な工程条件が、７５０〜９００℃の温度、５０〜１０００ミリ秒の滞留時間および大気圧から１７５ｋＰａまでのゲージ圧を含む、請求項１から１４いずれか１項記載の方法。
【請求項１６】
前記ガソリン水素化分解（ＧＨＣ）ユニットからの頭頂気体流の相当な部分を水蒸気分解ユニットの分離区域に直接供給しない工程をさらに含む、請求項１から１５いずれか１項記載の方法。
【請求項１７】
水蒸気分解ユニットのための原料としての、多段階ＦＣＣの気体軽質分画および水素化分解された炭化水素原料の使用。
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
癌幹細胞(CSC)の増殖、生残、または生存を阻害するための医薬であって、CSCの多能性幹細胞マーカーSox2の発現が多能性幹細胞におけるSox2の発現と比較して障害または抑制されており、リジン特異的デメチラーゼ(LSD)阻害剤を含む、医薬。
【請求項２】
CSCの多能性幹細胞マーカーOct4の発現が障害または抑制されている、請求項1記載の医薬。
【請求項３】
CSCがABCB5、ALDH1、ABCG2、α6インテグリン、α2 β1インテグリン、β-カテニン活性、CD15、CD13、CD20、CD24、CD26、CD29、CD44、CD90、CD133、CD166、CD271、c-Met、Hedgehog-Gli、ネスチン、CXCR4、LGR5、Trop2、およびNodal-Activinから選ばれる1またはそれ以上のCSCマーカーを発現する、請求項１または２記載の医薬。
【請求項４】
CSCがALDH1、CD24、CD44、CD90、CD133、Hedgehog-Gli、α6インテグリンから選ばれる1またはそれ以上のCSCマーカーを発現する請求項１または２記載の医薬。
【請求項５】
CSCがCD24およびCD44を発現する請求項１または２記載の医薬。
【請求項６】
CSCが乳腺、前立腺、子宮内膜、卵巣、脳、肺、中皮腫、メラノーマ、多発性骨髄腫、結腸、腎臓、頭および首、卵巣、膵臓、白血病、およびリンパ腫CSCからなる群から選ばれる、請求項１〜５のいずれか記載の医薬。
【請求項７】
CSCが乳腺、前立腺、肺、膀胱、膵臓、結腸、メラノーマ、肝臓、または神経膠腫CSCからなる群から選ばれる、請求項１〜５のいずれか記載の医薬。
【請求項８】
CSCが乳腺CSCである、請求項１〜５のいずれか記載の医薬。
【請求項９】
CSCが前立腺CSCである、請求項１〜５のいずれか記載の医薬。
【請求項１０】
CSCがホルモンレセプター陰性CSCである、請求項１〜９のいずれか記載の医薬。
【請求項１１】
CSCがホルモンレセプター陰性乳腺CSCである、請求項１０記載の医薬。
【請求項１２】
LSD阻害剤がLSD-1阻害剤である、請求項１〜１１のいずれか記載の医薬。
【請求項１３】
LSD阻害剤がLSD-2阻害剤である、請求項１〜１１のいずれか記載の医薬。
【請求項１４】
LSD阻害剤が選択的LSD1阻害剤である、請求項１〜１１のいずれか記載の医薬。
【請求項１５】
LSD阻害剤がPan-LSD阻害剤である、請求項１〜１１のいずれか記載の医薬。
【請求項１６】
CSCがホルモン耐性である非CSC腫瘍細胞を生じる、請求項１〜１５のいずれか記載の医薬。
【請求項１７】
非CSC腫瘍細胞がエストロゲンレセプター(ER)およびプロゲステロンレセプター(PR)から選ばれる少なくとも1のホルモンレセプターの発現が減少または抑制されている、請求項１６記載の医薬。
【請求項１８】
LSD阻害剤がペプチドまたはポリペプチドLSD阻害剤である、請求項１〜１７のいずれか記載の医薬。
【請求項１９】
LSD阻害剤が小分子LSD阻害剤である、請求項１〜１８のいずれか記載の医薬。
【請求項２０】
癌幹細胞(CSC)および非CSC腫瘍細胞を含む癌を処置するための医薬であって、リジン特異的デメチラーゼ(LSD)阻害剤および癌療法または薬剤を含み、該LSD阻害剤がCSCの増殖、生残、または生存を阻害し、該癌療法または薬剤が非CSC腫瘍細胞の増殖、生残、または生存を阻害し、CSCの多能性幹細胞マーカーSox2の発現が多能性幹細胞におけるSox2の発現と比較して障害または抑制されている、医薬。
【請求項２１】
CSCの多能性幹細胞マーカーOct4の発現が多能性幹細胞におけるOct4の発現と比較して障害または抑制されている、請求項２０記載の医薬。
【請求項２２】
該癌療法または薬剤が放射線療法、外科手術、化学療法、ホルモン除去療法、アポトーシス促進療法、および免疫療法から選ばれる、請求項２０または２１記載の医薬。
【請求項２３】
該癌療法または薬剤が急速に分裂する細胞を標的とするかまたは細胞周期または細胞分裂を妨げる、請求項２０〜２２のいずれか記載の医薬。
【請求項２４】
該癌が乳癌である、請求項２０〜２３のいずれか記載の医薬。
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
反応条件下でフリーラジカルを形成する有機化合物の存在下で、ジアルキルホスファイトと、炭素−炭素二重結合を含む有機ポリマーとを反応させて、前記ジアルキルホスファイトのリン原子を前記有機ポリマーの炭素原子に共有結合させる、リン含有有機ポリマーを製造するための方法であって、前記反応のために使用される前記有機ポリマーが、前記有機ポリマーのモノマー単位に対して０．０１〜５０ｍｏｌ％の、完全にまたはある程度塩の形態で存在することができるイオン性基を有し、前記反応のために使用される前記有機ポリマーが、２０００〜３０００００の範囲の数平均分子量（Ｍｎ）を有する方法。
【請求項２】
前記イオン性基が、カルボキシル、スルフィネート、スルホネート、および／またはスルフェート基から選択される、請求項１に記載の方法。
【請求項３】
前記反応のために使用される前記有機ポリマーが、スルホン化されている、請求項２に記載の方法。
【請求項４】
前記反応のために使用される前記有機ポリマーが、ランダムコポリマーまたはジもしくはマルチブロックコポリマーである、請求項１から３のいずれか一項に記載の方法。
【請求項５】
前記炭素−炭素二重結合が、前記反応のために使用される前記有機ポリマー内の主ポリマー鎖中に存在する、請求項１から４のいずれか一項に記載の方法。
【請求項６】
前記反応のために使用される前記有機ポリマーが、ビニル芳香族モノマーおよびジエンモノマーの重合単位を有する、請求項５に記載の方法。
【請求項７】
前記反応のために使用される前記有機ポリマーが、それぞれの場合、前記反応のために使用される前記有機ポリマーに対して１０〜７０質量％のビニル芳香族モノマーの共重合単位および３０〜９０質量％のジエンモノマーの共重合単位を有し、ここで、前記芳香族単位の０．５〜５％がスルホン化されている、請求項６に記載の方法。
【請求項８】
前記反応のために使用される前記有機ポリマーが、それぞれの場合、前記反応のために使用される前記有機ポリマーに対して２０〜６０質量％のビニル芳香族モノマーの共重合単位および４０〜８０質量％のジエンモノマーの共重合単位を有し、ここで、前記芳香族単位の１〜４％がスルホン化されている、請求項７に記載の方法。
【請求項９】
前記リン含有有機ポリマーが、加水分解されてホスホン酸基を形成する、請求項１から８のいずれか一項に記載の方法。
【請求項１０】
請求項１から９のいずれか一項に記載の方法により得ることができるリン含有有機ポリマー。
【請求項１１】
可燃性固体、好ましくはプラスチック、木材、もしくは天然繊維の前記難燃性改良のために、または、無機酸化物固体の前記改良のために、請求項１０に記載のリン含有有機ポリマーを使用する方法。
【請求項１２】
前記難燃性改良のために使用されるリン含有有機ポリマーが、ホスホン酸基を形成するために加水分解されておらず、無機酸化物固体の前記改良のために使用されるリン含有有機ポリマーが、ホスホン酸基を形成するために加水分解されている、請求項１１に記載の方法。
【請求項１３】
ａ）  成分Ａとして、３０〜９５質量％の少なくとも１つのリン不含熱可塑性ポリマー、
ｂ）  成分Ｂとして、１〜３０質量％の少なくとも１つの請求項１０に記載のリン含有有機ポリマー、
ｃ）  成分Ｃとして、０〜１５質量％の他の難燃助剤、
ｄ）  成分Ｄとして、０〜２０質量％の少なくとも１つの衝撃改良ポリマー、
ｅ）  成分Ｅとして、０〜５０質量％のガラス繊維、
ｆ）  成分Ｆとして、０〜３０質量％の他の添加剤
を含み、ここで、成分Ａ〜Ｆの総量が１００質量％になる、
熱可塑性成形組成物。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
タンパク質を修飾するための方法であって：
少なくとも１つのリジン残基を有するターゲットタンパク質を提供し；
微生物トランスグルタミナーゼの存在下で、式Ｒ１−（Ｌｅｕ）ｘ−Ｇｌｎ−（Ｇｌｙ）ｙ−（Ａ−Ｗ−Ｂ−Ｒ２）ｚを有する修飾化合物とターゲットタンパク質を接触させて修飾タンパク質を形成する工程を含む；
式中、ｘは０または１であり；ｙは０または１であり；ｚは０または１であり；
Ｒ１は：アセチル、
【化１】
2016526574.tif 000001
からなる群より選択され；
式中、各Ｒ４は、−Ｈ、−Ｎ３、および
【化２】
2016526574.tif 000002
より選択され；
Ｗは：約４０〜約８０，０００ａｍｕの間の分子量を有するＣ１−Ｃ６直鎖または分枝鎖アルキルまたはポリエチレングリコールより選択され；
Ａは、存在しないか、または−Ｏ−、−ＮＨ−、および−Ｓ−より選択され；
Ｂは、存在しないか、または−Ｏ−、−Ｃ（Ｏ）−、−ＮＨ−、−Ｃ（Ｏ）ＮＨ−、−ＮＨＣ（Ｏ）−、−ＮＨＣ（Ｏ）Ｏ−、−ＯＣ（Ｏ）ＮＨ−、−ＯＣ（Ｏ）Ｏ−、−Ｃ＝Ｎ（ＯＨ）−、−Ｓ（Ｏ２）−、−ＮＨＳ（Ｏ２）−、−Ｓ（Ｏ２）ＮＨ−、−Ｓ（Ｏ）−、−ＮＨＳ（Ｏ）−、−Ｓ（Ｏ）ＮＨ−；−Ｃ（Ｏ）Ｏ−、−ＯＣ（Ｏ）−、−Ｓ−、＝ＮＨ−Ｏ−、＝ＮＨ−ＮＨ−および＝ＮＨ−Ｎ（Ｃ１−Ｃ２０アルキル）−より選択され；
Ｒ２は：脂肪酸、直鎖または分枝鎖Ｃ１−Ｃ３アルキル−Ｎ３、シクロオクチニル、多糖、−ＣＨ（ＯＣＨ３）２、
【化３】
2016526574.tif 000003
からなる群より選択され；
各ｎは０〜６より独立に選択される整数であり；
各ＱはＨおよびＮＯ２より選択される
前記方法。
【請求項２】
式Ｒ１−（Ｌｅｕ）ｘ−Ｇｌｎ−（Ｇｌｙ）ｙ−（Ａ−Ｗ−Ｂ−Ｒ２）ｚの化合物であって、
式中、ｘは０または１であり；ｙは０または１であり；ｚは０または１であり；
Ｒ１は： 
【化４】
2016526574.tif 000004
からなる群より選択され；
式中、Ｒ４は、−Ｈ、−Ｎ３、および
【化５】
2016526574.tif 000005
より選択され；
Ｗは：約４０〜約８０，０００ａｍｕの間の分子量を有するＣ１−Ｃ６直鎖または分枝鎖アルキルまたはポリエチレングリコールより選択され；
Ａは存在しないか、または−Ｏ−、−ＮＨ−、および−Ｓ−より選択され；
Ｂは存在しないか、または−Ｏ−、−Ｃ（Ｏ）−、−ＮＨ−、−Ｃ（Ｏ）ＮＨ−、−ＮＨＣ（Ｏ）−、−ＮＨＣ（Ｏ）Ｏ−、−ＯＣ（Ｏ）ＮＨ−、−ＯＣ（Ｏ）Ｏ−、−Ｃ＝Ｎ（ＯＨ）−、−Ｓ（Ｏ２）−、−ＮＨＳ（Ｏ２）−、−Ｓ（Ｏ２）ＮＨ−、−Ｓ（Ｏ）−、−ＮＨＳ（Ｏ）−、−Ｓ（Ｏ）ＮＨ−；−Ｃ（Ｏ）Ｏ−、−ＯＣ（Ｏ）−、−Ｓ−、＝ＮＨ−Ｏ−、＝ＮＨ−ＮＨ−および＝ＮＨ−Ｎ（Ｃ１−Ｃ２０アルキル）−より選択され；
Ｒ２は：脂肪酸、直鎖または分枝鎖Ｃ１−Ｃ３アルキル−Ｎ３、シクロオクチニル、多糖、−ＣＨ（ＯＣＨ３）２、
【化６】
2016526574.tif 000006
からなる群より選択され；
各ｎは、０〜６より独立に選択される整数であり；
そして各ＱはＨおよび−ＮＯ２より選択される
前記化合物。
【請求項３】
Ｗが、約４０〜約８０，０００ａｍｕの間の分子量を有するポリエチレングリコールである、請求項２の化合物。
【請求項４】
Ｒ１が
【化７】
2016526574.tif 000007
である、請求項２の化合物。
【請求項５】
Ｒ２が、シクロオクチニルおよび
【化８】
2016526574.tif 000008
より選択される、請求項２の化合物。
【請求項６】
Ｒ２が脂肪酸である、請求項２の化合物。
【請求項７】
式Ｒ１−（Ｌｅｕ）ｘ−Ｇｌｎ−（Ｇｌｙ）ｙ−（Ａ−Ｗ−Ｂ−Ｒ２）ｚの化合物であって、
式中、ｘは０または１であり；ｙは０または１であり；ｚは０または１であり；
Ｒ１は：
【化９】
2016526574.tif 000009
からなる群より選択され；
式中、Ｒ４は、−Ｈ、−Ｎ３、および
【化１０】
2016526574.tif 000010
より選択され；
Ｗは約４０〜約８０，０００ａｍｕの間の分子量を有するポリエチレングリコールであり；
Ａは存在しないか、または−Ｏ−、−ＮＨ−、および−Ｓ−より選択され；
Ｂは存在しないか、または−Ｏ−、−Ｃ（Ｏ）−、−ＮＨ−、−Ｃ（Ｏ）ＮＨ−、−ＮＨＣ（Ｏ）−、−ＮＨＣ（Ｏ）Ｏ−、−ＯＣ（Ｏ）ＮＨ−、−ＯＣ（Ｏ）Ｏ−、−Ｃ＝Ｎ（ＯＨ）−、−Ｓ（Ｏ２）−、−ＮＨＳ（Ｏ２）−、−Ｓ（Ｏ２）ＮＨ−、−Ｓ（Ｏ）−、−ＮＨＳ（Ｏ）−、−Ｓ（Ｏ）ＮＨ−；−Ｃ（Ｏ）Ｏ−、−ＯＣ（Ｏ）−、−Ｓ−、＝ＮＨ−Ｏ−、＝ＮＨ−ＮＨ−および＝ＮＨ−Ｎ（Ｃ１−Ｃ２０アルキル）−より選択され；
Ｒ２はフルオロフォアであり；
各ｎは、０〜６より独立に選択される整数であり；
そして各ＱはＨおよび−ＮＯ２より選択される
前記化合物。
【請求項８】
フルオロフォアが、フルオレセイン、ローダミン、Ｃｙ色素、Ａｌｅｘａ色素、およびクマリンからなる群より選択される、請求項７の化合物。
【請求項９】
Ｒ１が
【化１１】
2016526574.tif 000011
である、請求項７の化合物。
【請求項１０】
【化１２】
2016526574.tif 000012
【化１３】
2016526574.tif 000013
【化１４】
2016526574.tif 000014
【化１５】
2016526574.tif 000015
からなる群より選択される化合物。
【請求項１１】
請求項２〜１０のいずれか一項の化合物のコンジュゲート。
【請求項１２】
コンジュゲートタンパク質がＣＲＭ１９７である、請求項１１のコンジュゲート。
【請求項１３】
コンジュゲートタンパク質がＧＢＳ８０である、請求項１１のコンジュゲート。
【請求項１４】
請求項１１〜１３のいずれか一項のコンジュゲートを含むワクチン。
【請求項１５】
請求項２〜１０のいずれか一項の化合物を含む、療法タンパク質。
【請求項１６】
請求項２〜１０のいずれか一項の化合物を含む、画像化剤。
【請求項１７】
請求項２〜１０のいずれか一項の化合物を含む、標識ツール。
【手続補正書】
【提出日】平成29年6月22日(2017.6.22)
【手続補正１】
【補正対象書類名】明細書
【補正対象項目名】００２２
【補正方法】変更
【補正の内容】
【００２２】
トリス（ヒドロカルビル）アルミニウム化合物、塩素含有および臭素含有のヒドロカルビルアルミニウム化合物およびハロゲン化アルミニウムには、好ましくは、一般式ＡｌｘＲｙＷｚが付せられ、式中、Ｒは、一価の炭化水素基であって、例えば１２個までの炭素原子を含有するもの、例えば、アルキル、アリール、アラルキル、アルカリールまたはシクロアルキルを示し、Ｗは、ハロゲン原子、例えば塩素および臭素から選択されるものを示し、Ｗは、好ましくは塩素原子であり、ｘは、１〜２の値を取り、ｙおよびｚは、０〜３の値を取る。言及されてよいこのタイプの化合物の例は、エチルアルミニウム  セスキクロリド（Ｅｔ３Ａｌ２Ｃｌ３）、メチルアルミニウム  ジクロリド（ＭｅＡｌＣｌ２）、エチルアルミニウム  ジクロリド（ＥｔＡｌＣｌ２）、イソブチルアルミニウム  ジクロリド（ｉＢｕＡｌＣｌ２）、ジエチルアルミニウム  クロリド（Ｅｔ２ＡｌＣｌ）、トリメチルアルミニウム、トリブチルアルミニウム、トリ−ｎ−オクチルアルミニウムおよびトリエチルアルミニウム（ＡｌＥｔ３）である。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
以下の構造を持つ式（Ｉ）の化合物、及び、その薬学的に活性な代謝物、薬学的に許容可能な溶媒和物、薬学的に許容可能な塩、又は薬学的に許容可能なプロドラッグであって：
【化１】
2016526558.tif 000001
式中：
Ｒ２４はそれぞれ独立して、ハロゲン、−ＣＮ、−ＮＯ２、−ＯＨ、−ＯＣＦ３、−ＯＣＨ２Ｆ、−ＯＣＦ２Ｈ、−ＣＦ３、−ＳＲ２１、−Ｎ（Ｒ２１）Ｓ（＝Ｏ）２Ｒ２３、−Ｓ（＝Ｏ）２Ｎ（Ｒ２１）（Ｒ２２）、−Ｓ（＝Ｏ）Ｒ２３、−Ｓ（＝Ｏ）２Ｒ２３、−Ｃ（＝Ｏ）Ｈ、−Ｃ（＝Ｏ）Ｒ２３、−ＯＣ（＝Ｏ）Ｒ２３、−ＣＯ２Ｒ２１、−Ｎ（Ｒ２１）（Ｒ２２）、−Ｃ（＝Ｏ）Ｎ（Ｒ２１）（Ｒ２２）、−Ｎ（Ｒ２１）Ｃ（＝Ｏ）Ｒ２３、−Ｎ（Ｒ２１）Ｃ（＝Ｏ）ＯＲ２２、−Ｎ（Ｒ２１）Ｃ（＝Ｏ）Ｎ（Ｒ２１）（Ｒ２２）、置換又は非置換のアルキル、置換又は非置換のアルコキシ、置換又は非置換のヘテロアルキル、或いは置換又は非置換のヘテロシクロアルキル、或いは置換又は非置換のシクロアルキルであり；
Ｒ２１とＲ２２はそれぞれ独立して、Ｈ、置換又は非置換のＣ１−Ｃ６アルキル、或いは置換又は非置換のＣ３−Ｃ８シクロアルキルであり；
Ｒ２３はそれぞれ独立して、置換又は非置換のＣ１−Ｃ６アルキル、或いは置換又は非置換のＣ３−Ｃ８シクロアルキルであり；
ｎは０−４であり；
Ｒ９は置換又は非置換のヘテロアリールであり；
Ｒ１０はＨ、置換又は非置換のＣ１−Ｃ６アルキル、或いは置換又は非置換のＣ３−Ｃ８シクロアルキルであり；
Ｒ６はＬ−Ｊ−Ｗであり；
Ｒ７はＶ−Ｑ−Ｗであり；
Ｒ８はＸ−Ａ−Ｗであり；又は共に得られるＲ７とＲ８は単結合を形成し；
ＬとＪはそれぞれ随意に存在し、存在する場合、それぞれ独立して、置換又は非置換のＣ１−Ｃ６アルキレン、置換又は非置換のＣ３−Ｃ６シクロアルキレン、置換又は非置換のＣ１−Ｃ６ヘテロアルキレン、置換又は非置換のＣ２−Ｃ７ヘテロシクロアルキレン、置換又は非置換のＣ６−Ｃ１２アリーレン、置換又は非置換のＣ３−Ｃ１２ヘテロアリーレン、−ＣＯ−、−Ｏ−、又は−Ｓ−であり；
ＶとＱはそれぞれ随意に存在し、存在する場合、それぞれ独立して、置換又は非置換のＣ１−Ｃ６アルキレン、置換又は非置換のＣ３−Ｃ６シクロアルキレン、置換又は非置換のＣ１−Ｃ６ヘテロアルキレン、置換又は非置換のＣ２−Ｃ７ヘテロシクロアルキレン、置換又は非置換のＣ６−Ｃ１２アリーレン、置換又は非置換のＣ３−Ｃ１２ヘテロアリーレン、−ＣＯ−、−Ｏ−、又は−Ｓ−であり；
ＸとＡはそれぞれ随意に存在し、存在する場合、それぞれ独立して、置換又は非置換のＣ１−Ｃ６アルキレン、置換又は非置換のＣ３−Ｃ６シクロアルキレン、置換又は非置換のＣ１−Ｃ６ヘテロアルキレン、置換又は非置換のＣ２−Ｃ７ヘテロシクロアルキレン、置換又は非置換のＣ６−Ｃ１２アリーレン、置換又は非置換のＣ３−Ｃ１２ヘテロアリーレン、−ＣＯ−、−Ｏ−、又は−Ｓ−であり；
ＷはＨ又はＮＲ２５Ｒ２６であり；
Ｒ２５とＲ２６はそれぞれ独立して、Ｈ、置換又は非置換のＣ１−Ｃ６アルキル、置換又は非置換のＣ３−Ｃ６シクロアルキル、置換又は非置換のＣ１−Ｃ６ヘテロアルキル、置換又は非置換のＣ２−Ｃ７ヘテロシクロアルキル、置換又は非置換のＣ６−Ｃ１２アリール、或いは置換又は非置換のＣ３−Ｃ１２ヘテロアリールである、式（Ｉ）の化合物。
【請求項２】
Ｒ９は、置換又は非置換のピリジル、置換又は非置換のチアゾリル、置換又は非置換のチアジアゾリル、置換又は非置換のイソチアゾリル、或いは置換又は非置換のベンゾチアゾリル、置換又は非置換のピリミジル、置換又は非置換のピラジニル、置換又は非置換のピリダジニル、置換又は非置換のトリアジニル、置換又は非置換のキノリニル、或いは置換又は非置換のイソキノリニルである、ことを特徴とする請求項１に記載の化合物。
【請求項３】
Ｖ−Ｑ−ＷとＸ−Ａ−ＷはＨであり；及びＲ６はＬ−Ｊ−Ｗである、ことを特徴とする請求項２に記載の化合物。
【請求項４】
Ｌ−Ｊ−Ｗは、Ｈ、置換又は非置換のＣ１−Ｃ６アルキル、置換又は非置換のＣ１−Ｃ６ヘテロアルキル、（Ｃ１−Ｃ６ジアルキルアミノ）Ｃ１−Ｃ６アルキル、（（Ｃ１−Ｃ６アルキル）（Ｃ３−Ｃ６シクロアルキル）アミノ）Ｃ１−Ｃ６アルキル、置換又は非置換のＣ１−Ｃ６アルキルＣ３−Ｃ６シクロアルキル、又はＣ１−Ｃ４アルキル（Ｃ２−Ｃ７ヘテロシクロアルキル）である、ことを特徴とする請求項３に記載の化合物。
【請求項５】
Ｌ−Ｊ−ＷとＸ−Ａ−ＷはＨであり；及びＲ７はＶ−Ｑ−Ｗである、ことを特徴とする請求項２に記載の化合物。
【請求項６】
Ｖ−Ｑ−Ｗは、Ｈ、置換又は非置換のＣ１−Ｃ６アルキル、置換又は非置換のＣ１−Ｃ６ヘテロアルキル、（Ｃ１−Ｃ６ジアルキルアミノ）Ｃ１−Ｃ６アルキル、（（Ｃ１−Ｃ６アルキル）（Ｃ３−Ｃ６シクロアルキル）アミノ）Ｃ１−Ｃ６アルキル、置換又は非置換のＣ１−Ｃ６アルキルＣ３−Ｃ６シクロアルキル、又はＣ１−Ｃ４アルキル（Ｃ２−Ｃ７ヘテロシクロアルキル）である、ことを特徴とする請求項５に記載の化合物。
【請求項７】
Ｑは−ＣＨ２−であり、ＷはＮＲ２５Ｒ２６である、ことを特徴とする請求項５に記載の化合物。
【請求項８】
ｉ）Ｒ２５は、Ｈ、置換又は非置換のＣ１−Ｃ６アルキル、或いは置換又は非置換のＣ３−Ｃ６シクロアルキルであり；及びＲ２６は、置換又は非置換のＣ１−Ｃ６アルキル、置換又は非置換のＣ３−Ｃ６シクロアルキル、置換又は非置換のＣ１−Ｃ６ヘテロアルキル、置換又は非置換のＣ２−Ｃ７ヘテロシクロアルキル、置換又は非置換のＣ６−Ｃ１２アリール、又は置換又は非置換のＣ３−Ｃ１２ヘテロアリールであり、
ｉｉ）Ｒ２５とＲ２６は各々独立して、−ＣＨ３またはシクロプロピルであり、あるいは、
ｉｉｉ）Ｒ２５は−ＣＨ３であり、Ｒ２６はシクロプロピルである、ことを特徴とする請求項７に記載の化合物。
【請求項９】
共に得られるＲ７とＲ８は単結合を形成し、および、Ｒ６はＬ−Ｊ−Ｗである、ことを特徴とする請求項２に記載の化合物。
【請求項１０】
Ｒ９は置換又は非置換のピリジル、あるいは置換又は非置換のチアゾリルである、ことを特徴とする請求項１乃至９の何れか１つに記載の化合物。
【請求項１１】
Ｒ１０はＨまたはＣＨ３である、ことを特徴とする請求項１乃至１０の何れか１つに記載の化合物。
【請求項１２】
ｎは０である、ことを特徴とする請求項１乃至１１の何れか１つに記載の化合物。
【請求項１３】
以下の構造を持つ化合物：
【化２】
2016526558.tif 000002
【化３】
2016526558.tif 000003
【請求項１４】
医薬組成物であって、該医薬組成物は、治療上有効な量の請求項１乃至１３の何れか１つに記載の化合物、又はその薬学的に許容可能な塩、薬学的に許容可能な溶媒和物、或いは薬学的に許容可能なプロドラッグ、及び薬学的に許容可能な賦形剤を含む、医薬組成物。
【請求項１５】
患者の自己免疫疾患、異種免疫疾患、Ｂ細胞増殖性障害、肥満細胞症、骨粗鬆症又は骨吸収障害、あるいは炎症性疾患を処置する際に使用される請求項１−１３に定義された通りの化合物。
【手続補正書】
【提出日】平成29年6月15日(2017.6.15)
【手続補正１】
【補正対象書類名】明細書
【補正対象項目名】０１１１
【補正方法】変更
【補正の内容】
【０１１１】
第3鎖は、天然DNAヌクレオチド、修飾DNAヌクレオチド、およびヌクレオチドアナログから独立して選択されるヌクレオチド、または天然RNAヌクレオチド、修飾RNAヌクレオチド、およびヌクレオチドアナログから独立して選択されるヌクレオチドを含むオリゴヌクレオチドである。一部の実施形態において、第3鎖は、PNAヌクレオチドを含み得る。
【手続補正２】
【補正対象書類名】明細書
【補正対象項目名】０１８２
【補正方法】変更
【補正の内容】
【０１８２】
1〜4、9、10、15〜20、29〜41 合成
5〜8、11〜14、21〜28、42〜45 プライマー
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
不定形耐火セラミック製品を製造するためのバッチであって、前記バッチは、前記バッチの全質量に対してそれぞれ、
１．１  ５５質量％から９５質量％の、少なくとも１つのマグネシアベースの原料と、
１．２  ５質量％から４５質量％の、少なくとも１つのマグネサイトベースの原料と、
１．３  １０質量％未満の、さらなる成分と、を含んでおり、
１．４  マグネサイトベースの原料の全質量に対して、前記マグネサイトベースの原料における炭酸カルシウムの総含有量が１０質量％未満であるバッチ。
【請求項２】
生マグネサイトの形でマグネサイトベースの原料を有する、請求項１に記載のバッチ。
【請求項３】
焼結マグネシア又はカンラン石という原料の内少なくとも１つの形でマグネシアベースの原料を有する、請求項１又は２に記載のバッチ。
【請求項４】
それぞれ前記バッチの全質量に対して、以下の酸化物の内少なくとも１つが、最大でそれぞれ記載された割合：
ＣａＯ＜５質量％；
Ｆｅ２Ｏ３＜３．５質量％；
Ａｌ２Ｏ３＜３．０質量％；
を有している、請求項１から３のいずれか一項に記載のバッチ。
【請求項５】
焼成耐火セラミック製品の製造方法であって、
５．１  請求項１から４のいずれか一項に記載のバッチを準備するステップ；
５．２  所望の使用箇所に前記バッチを適用するステップ；
５．３  適用された前記バッチを焼成し、焼成耐火セラミック製品を形成するステップ、を含んでいる方法。
【請求項６】
請求項５に記載の方法によって製造される製品。
【請求項７】
それぞれ前記製品の全質量に対して、以下の相の内少なくとも１つを、それぞれ記載された割合：
フォルステライト：＞５質量％；
メルウィナイト：＜０．５質量％；
で有している、請求項６に記載の製品。
【請求項８】
それぞれ前記製品の全質量に対して、以下の酸化物の内少なくとも１つが、最大でそれぞれ記載された割合：
ＣａＯ＜５質量％；
Ｆｅ２Ｏ３＜３．５質量％；
Ａｌ２Ｏ３＜３．０質量％；
を有している、請求項６又は７に記載の製品。
【請求項９】
請求項１から４のいずれか一項に記載のバッチの、吹付材、タンディッシュ用材料、ラミング材又は裏込材としての使用。